(57)【要約】【課題】焦点調整をレンズ装置側からだけでなくレンズ装置から離れたところからも操作可能として、被写体に対するより完全な焦点合わせを容易に行うことが可能となる撮影システムを提供する。【解決手段】変倍光学系に対して、被写体側に第一の焦点調整光学系と撮像素子側に第二の焦点調整光学系と、を備えたレンズ装置を有するテレビカメラあるいはビデオカメラ等の撮影システムにおいて、前記レンズ装置の制御を司る第一の制御部と、前記第一の制御部を操作して前記第一の焦点調整光学系の焦点調整を行う第一の操作部と、前記第一の制御部に接続され、前記第一の操作部の操作と独立して前記第二の焦点調整光学系の焦点調整を行う第二の操作部を備えた第二の制御部と、を有する構成とする。【選択図】            図１
2005159964.tif 000002
【特許請求の範囲】
【請求項１】
変倍光学系に対して、被写体側に第一の焦点調整光学系と撮像素子側に第二の焦点調整光学系と、を備えたレンズ装置を有するテレビカメラあるいはビデオカメラ等の撮影システムにおいて、
前記レンズ装置の制御を司る第一の制御部と、
前記第一の制御部を操作して前記第一の焦点調整光学系の焦点調整を行う第一の操作部と、
前記第一の制御部に接続され、前記第一の操作部の操作と独立して前記第二の焦点調整光学系の焦点調整を行う第二の操作部を備えた第二の制御部と、
を有することを特徴とする撮影システム。
【請求項２】
前記第一の操作部は、前記レンズ装置側から前記第一の焦点調整光学系の焦点調整を行うように構成され、
前記第二の操作部は、前記レンズ装置から離れたところから遠隔操作により前記第二の焦点調整光学系の焦点調整を行うように構成されていることを特徴とする請求項１に記載の撮影システム。
【請求項３】
前記第一の操作部による第一の焦点調整光学系の操作が、前記第二の操作部による第二の焦点調整光学系の操作に優先することを特徴とする請求項１または請求項２に記載の撮影システム。
【請求項４】
前記第二の操作部による第二の焦点調整光学系の操作が、前記第一の操作部による第一の焦点調整光学系の操作に優先することを特徴とする請求項１または請求項２に記載の撮影システム。
【請求項５】
前記第一の操作部による第一の焦点調整光学系の操作と、前記第二の操作部による第二の焦点調整光学系の操作との優先順位の切り換え、または前記第一の焦点調整光学系のみ操作可能とし、あるいは前記第二の焦点調整光学系のみ操作可能とする、切り換え手段を有することを特徴とする請求項１〜４のいずれか１項に記載の撮影システム。
【請求項６】
前記切り換え手段が、前記レンズ装置側または第二の制御部側のいずれか一方に設けられていることを特徴とする請求項５に記載の撮影システム。
【発明の詳細な説明】
【技術分野】
【０００１】
本発明は、テレビカメラ、ビデオカメラなどに用いられる撮影システム（カメラシステム）に係り、焦点調整をレンズ装置側、あるいは該レンズ装置より離れたところから操作可能としたカメラシステムに関するものである。
【背景技術】
【０００２】
従来、テレビカメラやビデオ、レンズを用いたカメラシステムによるスタジオでの撮影においては、その撮影の手法は、数人のカメラマンにより撮影され、その各カメラから映像のうち、どの映像を放送で使用するかを選択し、また、露出、ズーム、フォーカスなどの撮影の指示を少し離れたビデオエンジニア（以下、これをＶＥと記す）がおこなうのが一般的である。
このような撮影においては、その焦点調整は例えば特許文献１あるいは特許文献２に開示されているようなカメラシステムを用い、カメラマンが変倍レンズ群より前に配置された前玉フォーカスレンズ群を、手動或いは、別途設けられたフォーカスデマンドによって、フォーカスレンズ群に連結されたモータ等の駆動装置を用い、サーボ駆動することで行っている。
【特許文献１】特開平１−２８０７０９号公報
【特許文献２】特開平８−２２０４１４号公報
【発明の開示】
【発明が解決しようとする課題】
【０００３】
しかしながら、従来のテレビカメラやビデオ、レンズを用いたカメラシステムにおいて、カメラマンが焦点調整を行う場合、カメラに備え付けられたビューファーと呼ばれる小型の映像表示装置で映像を確認しながら行うため、微妙な焦点調整が難しい。そのため、ＶＥは大きな画面にて確認を行い、そのつどカメラマンに焦点の微調整を指示することが必要になり、撮影に手間がかかる上、より完全な焦点合わせをすることが困難であった。
【０００４】
そこで、本発明は、上記課題を解決し、焦点調整をレンズ装置側からだけでなくレンズ装置から離れたところからも操作可能として、被写体に対するより完全な焦点合わせを容易に行うことが可能となる撮影システムを提供することを目的とするものである。
【課題を解決するための手段】
【０００５】
本発明は、以下のように構成した撮影システムを提供するものである。
すなわち、本発明の撮影システムは、変倍光学系に対して、被写体側に第一の焦点調整光学系と撮像素子側に第二の焦点調整光学系と、を備えたレンズ装置を有するテレビカメラあるいはビデオカメラ等の撮影システムにおいて、前記レンズ装置の制御を司る第一の制御部と、前記第一の制御部を操作して前記第一の焦点調整光学系の焦点調整を行う第一の操作部と、前記第一の制御部に接続され、前記第一の操作部の操作と独立して前記第二の焦点調整光学系の焦点調整を行う第二の操作部を備えた第二の制御部と、を有することを特徴としている。
また、本発明の撮影システムは、前記第一の操作部を、前記レンズ装置側から前記第一の焦点調整光学系の焦点調整を行うように構成し、前記第二の操作部を、前記レンズ装置から離れたところから遠隔操作により前記第二の焦点調整光学系の焦点調整を行うように構成することができる。
また、本発明の撮影システムは、前記第一の操作部による第一の焦点調整光学系の操作が、前記第二の操作部による第二の焦点調整光学系の操作に優先するように構成することができる。
また、本発明の撮影システムは、前記第二の操作部による第二の焦点調整光学系の操作が、前記第一の操作部による第一の焦点調整光学系の操作に優先するように構成することができる。
また、本発明の撮影システムは、前記第一の操作部による第一の焦点調整光学系の操作と、前記第二の操作部による第二の焦点調整光学系の操作との優先順位の切り換え、または前記第一の焦点調整光学系のみ操作可能とし、あるいは前記第二の焦点調整光学系のみ操作可能とする、切り換え手段を有する構成とすることができる。
また、本発明の撮影システムは、前記切り換え手段を、前記レンズ装置側または第二の制御部側のいずれか一方に設けるように構成することができる。
【発明の効果】
【０００６】
本発明によれば、焦点調整をレンズ装置側からだけでなくレンズ装置から離れたところからも操作可能として、被写体に対するより完全な焦点合わせを容易に行うことが可能となる撮影システムを実現することができる。
【発明を実施するための最良の形態】
【０００７】
本発明を実施するための最良の形態を、以下の実施例により説明する。
【実施例】
【０００８】
［実施例１］
本発明の実施例１においては、上記した本発明の適用による撮影システムを構成した。図１にその撮影システムの構成を示す。
図１において、１は撮影者によってマニュアル又は、後述するフォーカスデマンド１９を操作することによるサーボ駆動により、焦点調整が可能な前玉焦点調整光学系である。また、２はレンズ装置の変倍調整を行うズームレンズ光学系であり、３はＶＥによって、後述するリアフォーカス操作手段２１を操作することによるサーボ駆動により、焦点調整が可能なリア焦点調整光学系である。
【０００９】
４は前玉焦点調整光学系１をサーボ駆動するモータ、５はモータ４を駆動する電力増幅手段であり、６は後述するレンズ制御部１８から出力される指令信号の信号レベル、シフト変換を行う指令信号演算手段である。また、７はレンズ制御部１８から前玉焦点調整光学系１を駆動するため出力される指令信号をディジタル信号からアナログ信号に変換するＤ／Ａ変換手段である。
８は前玉焦点調整光学系１の位置に応じた位置信号を出力する位置信号検出手段であり、９は位置信号を後述するＡ／Ｄ変換手段１０に取り込むために信号レベル、シフト変換を行う位置信号演算手段である。１０は位置信号演算手段９から出力されるアナログ信号をディジタル信号に変換するＡ／Ｄ変換手段である。
【００１０】
１１はリア焦点調整光学系３をサーボ駆動するモータ、１２はモータ１１を駆動する電力増幅手段、１３は後述するレンズ制御部１８から出力される指令信号の信号レベル、シフト変換を行う指令信号演算手段である。また、１４はレンズ制御部１８からリア焦点調整光学系３を駆動するため出力される指令信号をディジタル信号からアナログ信号に変換するＤ／Ａ変換手段である。
１５はリア焦点調整光学系３の位置に応じた位置信号を出力する位置信号検出手段であり、１６は位置信号を後述するＡ／Ｄ変換手段１７に取り込むために信号レベル、シフト変換を行う位置信号演算手段、１７は位置信号演算手段１６から出力されるアナログ信号をディジタル信号に変換するＡ／Ｄ変換手段である。
【００１１】
１８は後述するフォーカスデマンド１９、ＶＥシステム２０と接続し、前玉焦点調整光学系１、リア焦点調整光学系３、ズームレンズ光学系２の制御を司るレンズ制御部である。また、１９は前玉焦点調整光学系１の操作可能なフォーカスデマンドである。
２０はレンズ制御部１８と接続し、ＶＥにより、レンズ制御、及び操作を可能とするＶＥシステムであり、２１はＶＥシステムに設けられたリアフォーカス操作手段である。また、２２はリア焦点調整光学系３の基準位置を記憶するリア記憶手段である。
【００１２】
２３はズームレンズ光学系２をサーボ駆動するモータ、２４はモータ２３を駆動する電力増幅手段である。２５は後述するレンズ制御部１８から出力される指令信号の信号レベル、シフト変換を行う指令信号演算手段であり、２６はレンズ制御部１８からズームレンズ光学系２を駆動するため出力される指令信号をディジタル信号からアナログ信号に変換するＤ／Ａ変換手段である。
【００１３】
２７はズームレンズ光学系２の位置に応じた位置信号を出力する位置信号検出手段であり、２８は位置信号を後述するＡ／Ｄ変換手段２９に取り込むために信号レベル、シフト変換を行う位置信号演算手段である。２９は位置信号演算手段２８から出力されるアナログ信号をディジタル信号に変換するＡ／Ｄ変換手段であり、３０は前玉焦点調整光学系１の操作時に、リア焦点調整光学系３を基準位置に移動させるかどうかを選択するリア基準位置選択手段である。
【００１４】
次に、本実施例を図２のフローチャートを用い、説明する。
まずステップ１０１にて、リア焦点調整光学系３が、リア記憶手段２２に記憶している基準位置にあるかどうか確認し、基準位置になければ、基準位置に移動し、停止する。また、前玉焦点光学系１、ズームレンズ光学系２、リア焦点調整光学系３の現在の位置を取得する。各位置信号の取得方法は後述する。
そしてステップ１０２に進み、ズームレンズ光学系２の現在の位置を確認する。これは、ズームレンズ光学系２の移動に連動する位置信号検出手段２７から、ズームレンズ位置信号として出力される。そのズームレンズ位置信号は、位置信号演算手段２８により、信号のレベル変更及びシフト変換を行い、Ａ／Ｄ変換手段２９に入力され、Ａ／Ｄ変換される。そして、レンズ制御部１８に入力される。
【００１５】
次に、ステップ１０３にて、リア焦点調整光学系３の現在の位置を確認する。これは、リア焦点調整光学系３の移動に連動する位置信号検出手段１５から、リア位置信号として出力される。そのリア位置信号は、位置信号演算手段１６により、信号のレベル変更及びシフト変換を行い、Ａ／Ｄ変換手段１７に入力され、Ａ／Ｄ変換される。そして、レンズ制御部１８に入力される。
次にステップ１１８に進み、前玉焦点調整光学系１の現在の位置を確認する。これは、前玉焦点調整光学系１の移動に連動する位置信号検出手段８から、前玉位置信号として出力される。その前玉位置信号は、位置信号演算手段９により、信号のレベル変更及びシフト変換を行い、Ａ／Ｄ変換手段１０に入力され、Ａ／Ｄ変換される。そして、レンズ制御部１８に入力される。
【００１６】
次にステップ１０４に進み、フォーカスデマンド１９が操作されたかどうかを確認するため、フォーカスデマンド１９より出力される、ＦＤ位置指令信号をレンズ制御部１８が取得する。そしてステップ１０５に進み、ステップ１１８にて取得した前玉位置信号と、ステップ１０４にて、取得したＦＤ位置指令信号を比較する。もし、一致していなければ、前玉焦点調整光学系１を駆動するため、レンズ制御部１８より、前玉駆動信号を出力し、Ｄ／Ａ変換手段７にて、アナログ信号に変換し、指令信号演算手段６にて前玉駆動信号のレベル変更、シフト変換をし、電力増幅手段５を介して入力し、モータ４にて、前玉焦点調整光学系１の駆動を開始する（ステップ１０７）。また、一致していた場合は、ステップ１０６に進み、前玉焦点調整光学系１の駆動を停止する。そしてステップ１０８にて、前玉焦点調整光学系１の現在の位置を確認する。これは、前玉焦点調整光学系１の移動に連動する位置信号検出手段８から、前玉位置信号として出力される。その前玉位置信号は、位置信号演算手段９により、信号のレベル変更及びシフト変換を行い、Ａ／Ｄ変換手段１０に入力され、Ａ／Ｄ変換される。そして、レンズ制御部１８に入力される。
【００１７】
次に、ステップ１０９に進み、前回取得した前玉焦点調整光学系１の位置と今回取得した前玉焦点調整光学系１の位置を比較し、変化したかどうか確認する。これによって、手動、およびサーボによって前玉焦点調整光学系１が操作されたかどうかを確認することが可能となる。前玉焦点調整光学系１の位置が変化していた場合、ステップ１１７に進み、リア焦点調整光学系３の駆動を停止する。そして、ステップ１１０に進み、現在のリア焦点調整光学系３の位置を基準位置へ移動するかどうか、リア基準位置選択手段３０からの指令信号により決定する。基準位置へ戻すように設定されていた場合、リア記憶手段２２に記憶している基準と比較する。基準位置でなければ、リア焦点調整光学系３を基準位置へ移動した上で、ステップ１０２へ戻る。リア焦点調整光学系３を基準位置へ戻すように設定されていなければ、そのままステップ１０２へ戻る。
【００１８】
上記ステップ１０９にて、前玉焦点調整光学系１の位置が変化していない場合、前玉にて、焦点調整が行われていないと判断し、ステップ１１２に進む。
ステップ１１２では、取得している前玉焦点調整光学系１、ズームレンズ光学系２の位置より、リア移動範囲を演算する。このリア移動範囲は、ズームレンズ光学系２をワイド端からテレ端まで移動したときに、前玉焦点調整光学系１の操作において、リア焦点調整光学系３の停止位置によって、焦点がとれなくなることを防ぐために行うものである。そして、ステップ１１３に進み、ＶＥシステム２０に搭載された、リアフォーカス操作手段２１が操作されたかどうか確認する。このリアフォーカス操作手段２１を操作することで、レンズとは離れたところにあるＶＥシステム２０上で、フォーカスの微調整ができるのである。
【００１９】
ここで、リアフォーカス操作手段２１が操作中であれば、ステップ１１４へ進み、ステップ１１２に演算された、リア移動範囲内であるかどうか確認する。
範囲内であれば、レンズ制御部１８より、リア駆動信号を出力し、Ｄ／Ａ変換手段１４にて、アナログ信号に変換し、指令信号演算手段１３にてリア駆動信号のレベル変更、シフト変換をし、電力増幅手段１２を介してモータ１１に入力し、リア焦点調整光学系３の駆動を開始する（ステップ１１５）。そしてステップ１０２へ戻る。リア移動範囲外、または、ステップ１１３にて、リアフォーカス操作手段２１が操作されていない場合はステップ１１６へ進み、リア焦点調整光学系３の駆動を停止する。そして、ステップ１０２へ戻る。
【００２０】
上記した本実施例によれば、撮影者がレンズ装置側から前玉焦点調整光学系１を操作して焦点調整を行った後、ＶＥが遠隔操作による前記リア焦点調整光学系にて、焦点の微調整をすることができ、スタジオ等の撮影システムにおいて、焦点調整時にカメラマンだけでなく、ＶＥも焦点調整をすることができ、撮影時における、より完全な被写体への焦点調整が可能となる。
【００２１】
［実施例２］
本発明の実施例２においては、リア焦点調整光学系３の操作を優先した構成とした。上記した実施例１の前玉焦点調整光学系１の操作を優先した構成では、前玉焦点調整光学系１の操作時にはリア焦点調整光学系３の操作をできないようにして、撮影者による前玉焦点調整光学系１による焦点調整後に、ＶＥがリア焦点調整光学系３の操作をして焦点の微調整をすることが可能となる。これに対して、本実施例においては、リア焦点調整光学系３の操作を優先させることにより、例えばＶＥがリア焦点調整光学系３の操作をして焦点調整した後に、撮影者が前玉焦点調整光学系１によって焦点の微調整をすることが可能となる。
【００２２】
［実施例３］
本発明の実施例３においては、実施例１の撮影システムにフォーカス操作切り換え手段を設けた構成とした。
本実施例においては、例えばＶＥシステム２０にフォーカス操作切り換え手段を設け、両調整手段を操作可能として例えばその優先順位を切り換えるようにする場合、前玉焦点調整光学系１のみ操作可能とする場合、リア焦点調整光学系３のみ操作可能とする場合、等の切り換えを可能とした切り換え手段を設け、これらを選択可能としても良い。また、この切り換え手段をレンズ装置側に設けるようにしても良い。
【図面の簡単な説明】
【００２３】
【図１】本発明の実施例における撮影システムの構成を示す図。
【図２】本発明の実施例１の処理を示したフローチャート。
【符号の説明】
【００２４】
１：前玉焦点調整光学系
２：ズームレンズ光学系
３：リア焦点調整光学系
４：モータ
５：電力増幅手段
６：指令信号演算手段
７：Ｄ／Ａ変換手段
８：位置信号検出手段
９：位置信号演算手段
１０：Ａ／Ｄ変換手段
１１：モータ
１２：電力増幅手段
１３…指令信号演算手段
１４…Ｄ／Ａ変換手段
１５…位置信号検出手段
１６…位置信号演算手段
１７…Ａ／Ｄ変換手段
１８…レンズ制御部
１９…フォーカスデマンド
２０…ＶＥシステム
２１…リアフォーカス操作手段
２２…リア記憶手段
２３…モータ
２４…電力増幅手段
２５…指令信号演算手段
２６…Ｄ／Ａ変換手段
２７…位置信号検出手段
２８…位置信号演算手段
２９…Ａ／Ｄ変換手段
３０…リア基準位置選択手段
【図１】
2005159964.tif 000003
【図２】
2005159964.tif 000004